(57)【特許請求の範囲】
【請求項１】
嵌合面に沿って挿入される相手側コネクタの平板形状のコンタクトに電気的に接続されるソケットコンタクトを有するコネクタにおいて、
前記ソケットコンタクトは、
前記相手側コネクタのコンタクトを受け入れる受け入れ部が形成された本体部と、
前記本体部の嵌合方向の端部から前記受け入れ部内に向けて折り返された弾性変形可能な複数の導通用バネ片と、
それぞれ前記嵌合面を挟むように前記嵌合面の両側において前記複数の導通用バネ片の先端に配置され且つ前記相手側コネクタのコンタクトに接触して電気導通する少なくとも１対の互いに対向する導通用接点と、
前記本体部の前記嵌合方向の端部から前記受け入れ部内に向けて折り返された複数の変位規制部と、
それぞれ前記嵌合面を挟むように前記嵌合面の両側において前記複数の変位規制部の先端の近傍に配置され且つ前記相手側コネクタのコンタクトが変位したときに前記相手側コネクタのコンタクトに接触することにより前記相手側コネクタのコンタクトの所定量を超える変位を防止する少なくとも１対の互いに対向する変位規制用接点と
を備え、
前記少なくとも１対の導通用接点および前記少なくとも１対の変位規制用接点は、前記嵌合方向におけるほぼ同一の位置で且つ前記嵌合面の方向に隣接して配置され、
各対の前記変位規制用接点は、各対の前記導通用接点間の間隔よりも大きな間隔を有し、
前記相手側コネクタのコンタクトが変位したときに前記相手側コネクタのコンタクトが前記変位規制用接点に接触して前記変位規制部の先端が前記本体部の内壁面に接触することにより、前記相手側コネクタのコンタクトのさらなる変位を防止することを特徴とするコネクタ。
【請求項２】
前記本体部と前記複数の導通用バネ片と前記複数の変位規制部は、１枚の金属板から形成され、互いに隣接する前記導通用バネ片と前記変位規制部とが切欠きにより切り離されている請求項１に記載のコネクタ。
【請求項３】
前記ソケットコンタクトは、
１対の前記変位規制部と、
前記嵌合面に沿って前記変位規制部の両側に隣接して配置された２対の前記導通用バネ片と
を有する請求項２に記載のコネクタ。
【請求項４】
前記ソケットコンタクトは、
１対の前記導通用バネ片と、
前記嵌合面に沿って前記導通用バネ片の両側に隣接して配置された２対の前記変位規制部と
を有する請求項２に記載のコネクタ。
【請求項５】
前記複数の変位規制部は、それぞれ隣接する前記導通用バネ片との間が前記切欠きにより切り離され、前記複数の導通用バネ片と共に前記金属板に曲げ加工を施すことによりバネ片の形状を有している請求項２〜４のいずれか一項に記載のコネクタ。
【請求項６】
前記ソケットコンタクトは、互いに反対方向に延びるように前記本体部に連結され且つはんだ付けにより基板に固定するための１対のはんだ付け部を有する請求項１〜５のいずれか一項に記載のコネクタ。
【請求項７】
前記１対のはんだ付け部は、前記嵌合面を挟むように前記嵌合面の両側に配置されている請求項６に記載のコネクタ。
【請求項８】
前記本体部は、前記嵌合面に沿った方向に互いに対向して配置された１対の側面部を有し、
前記１対の側面部のうちの一方の側面部は、前記嵌合面に沿って一端から他端まで延びると共に前記相手側コネクタのコンタクトが挿通可能なスリットを有する請求項７に記載のコネクタ。
【請求項９】
前記１対のはんだ付け部は、前記嵌合面に沿った方向に互いに対向して配置されている請求項６に記載のコネクタ。
【発明の詳細な説明】
【技術分野】
【０００１】
この発明は、コネクタに係り、特に、相手側コネクタの平板形状のコンタクトに電気的に接続されるソケットコンタクトを有するコネクタに関する。
【背景技術】
【０００２】
この種のコネクタにおいては、ソケットコンタクトが弾性変位可能なバネ接点を有し、コネクタの嵌合時に、相手側コネクタのコンタクトが嵌合面に沿って相対的にソケットコンタクトに挿入され、相手側コネクタのコンタクトがソケットコンタクトのバネ接点を弾性変位させた状態でバネ接点に接触する。このときバネ接点に生じる弾性力により、相手側コネクタのコンタクトとソケットコンタクトとが電気導通される。
ところが、相手側コネクタのコンタクトが嵌合面からずれた位置で挿入される、あるいは、嵌合面に対して斜めに挿入された等の位置ずれを生じた場合、ソケットコンタクトのバネ接点が弾性限界を超えて変位し、バネ接点が形成されているバネ片が塑性変形したり、相手側コネクタのコンタクトとソケットコンタクトとの間に十分な接触圧が得られず、信頼性のある電気導通を行うことができなくなるおそれがある。
【０００３】
そこで、例えば、特許文献１には、図１１に示されるように、ボックス形のコンタクト本体１の上端から互いに対向する１対のビーム２が下方に延び、これらのビーム２の下端からそれぞれ上方にバネ片３が延びて、バネ片３の上端近傍にバネ接点４が形成されると共に、双方のビーム２の下端が互いに反対方向に屈曲されて、その先端に変位規制部５が形成されたソケットコンタクトが開示されている。
【０００４】
相手側コネクタのコンタクトが嵌合面Ｃ１に沿ってコンタクト本体１内に挿入されると、バネ片３を弾性変形しつつ相手側コネクタのコンタクトがバネ接点４に接触する。このとき、それぞれのビーム２も弾性変位することとなるが、ビーム２の下端に形成された変位規制部５がコンタクト本体１の内壁６に接触すると、それ以上のビーム２の変位が規制される。
このため、相手側コネクタのコンタクトが嵌合面Ｃ１からずれた位置で挿入される、あるいは、嵌合面Ｃ１に対して斜めに挿入された場合には、変位規制部５がコンタクト本体１の内壁６に接触することでそれ以上の変位が規制されたビーム２の下端により、相手側コネクタのコンタクトの位置が矯正される。
【先行技術文献】
【特許文献】
【０００５】
【特許文献１】特表平１０−５０３３１９号公報
【発明の概要】
【発明が解決しようとする課題】
【０００６】
しかしながら、バネ片３がビーム２の下端から上方に延びていることから、バネ片３に形成されたバネ接点４がビーム２の上端近傍に位置しているのに対して、変位規制部５はビーム２の下端に形成されている。すなわち、バネ接点４と変位規制部５とが嵌合方向に離れた位置に配置されているため、変位規制部５が形成されているビーム２の下端においては、相手側コネクタのコンタクトの位置が矯正されるものの、バネ接点４が位置するビーム２の上端近傍においては、相手側コネクタのコンタクトが嵌合面Ｃ１から大きくずれるおそれがある。
このようにしてビーム２の上端近傍における相手側コネクタのコンタクトの位置が嵌合面Ｃ１から大きくずれると、双方のバネ接点４に対する相手側コネクタのコンタクトの接触が著しく不均衡となり、一方のバネ接点４が過大変位してバネ片３が塑性変形しやすくなると共に、他方のバネ接点４は相手側コネクタのコンタクトから離れて接触不良を来すおそれが生じ、電気導通の信頼性が低下するという問題がある。
【０００７】
この発明は、このような従来の問題点を解消するためになされたもので、相手側コネクタのコンタクトが位置ずれを生じた状態で嵌合しても、信頼性の優れた電気導通を行うことができるコネクタを提供することを目的とする。
【課題を解決するための手段】
【０００８】
この発明に係るコネクタは、嵌合面に沿って挿入される相手側コネクタの平板形状のコンタクトに電気的に接続されるソケットコンタクトを有するコネクタにおいて、ソケットコンタクトは、相手側コネクタのコンタクトを受け入れる受け入れ部が形成された本体部と、本体部の嵌合方向の端部から受け入れ部内に向けて折り返された弾性変位可能な複数の導通用バネ片と、それぞれ嵌合面を挟むように嵌合面の両側において複数の導通用バネ片の先端に配置され且つ相手側コネクタのコンタクトに接触して電気導通する少なくとも１対の互いに対向する導通用接点と、本体部の嵌合方向の端部から受け入れ部内に向けて折り返された複数の変位規制部と、それぞれ嵌合面を挟むように嵌合面の両側において複数の変位規制部の先端の近傍に配置され且つ相手側コネクタのコンタクトが変位したときに相手側コネクタのコンタクトに接触することにより相手側コネクタのコンタクトの所定量を超える変位を防止する少なくとも１対の互いに対向する変位規制用接点とを備え、少なくとも１対の導通用接点および少なくとも１対の変位規制用接点は、嵌合方向におけるほぼ同一の位置で且つ嵌合面の方向に隣接して配置され、各対の変位規制用接点は、各対の導通用接点間の間隔よりも大きな間隔を有し、相手側コネクタのコンタクトが変位したときに相手側コネクタのコンタクトが変位規制用接点に接触して変位規制部の先端が本体部の内壁面に接触することにより、相手側コネクタのコンタクトのさらなる変位を防止するものである。
【００１０】
好ましくは、本体部と複数の導通用バネ片と複数の変位規制部は、１枚の金属板から形成され、互いに隣接する導通用バネ片と変位規制部とが切欠きにより切り離されている。
この場合、ソケットコンタクトは、１対の変位規制部と、嵌合面に沿って変位規制部の両側に隣接して配置された２対の導通用バネ片とを有するように構成することができる。あるいは、ソケットコンタクトは、１対の導通用バネ片と、嵌合面に沿って導通用バネ片の両側に隣接して配置された２対の変位規制部とを有するように構成してもよい。
なお、複数の変位規制部は、それぞれ隣接する導通用バネ片との間が切欠きにより切り離され、複数の導通用バネ片と共に金属板に曲げ加工を施すことによりバネ片の形状を有していてもよい。
【００１１】
ソケットコンタクトは、互いに反対方向に延びるように本体部に連結され且つはんだ付けにより基板に固定するための１対のはんだ付け部を有することが好ましい。
１対のはんだ付け部は、嵌合面を挟むように嵌合面の両側に配置することができる。この場合、本体部は、嵌合面に沿った方向に互いに対向して配置された１対の側面部を有し、１対の側面部のうちの一方の側面部は、嵌合面に沿って一端から他端まで延びると共に相手側コネクタのコンタクトが挿通可能なスリットを有していてもよい。
また、１対のはんだ付け部は、嵌合面に沿った方向に互いに対向して配置することもできる。
【発明の効果】
【００１２】
この発明によれば、ソケットコンタクトは、弾性変位可能に配置された少なくとも１対の導通用接点と、相手側コネクタのコンタクトに接触することにより相手側コネクタのコンタクトの所定量を超える変位を防止する少なくとも１対の変位規制用接点とを備え、少なくとも１対の導通用接点および少なくとも１対の変位規制用接点は、嵌合方向におけるほぼ同一の位置で且つ嵌合面の方向に隣接して配置され、各対の変位規制用接点は、各対の導通用接点間の間隔よりも大きな間隔を有しているので、相手側コネクタのコンタクトが位置ずれを生じた状態で嵌合しても、信頼性の優れた電気導通を行うことが可能となる。
【図面の簡単な説明】
【００１３】
【図１】この発明の実施の形態１に係るコネクタのソケットコンタクトを示し、（Ａ）は斜視図、（Ｂ）は平面図、（Ｃ）は正面図、（Ｄ）は側面図である。
【図２】図１（Ｂ）のＡ−Ａ線断面図である。
【図３】図１（Ｃ）のＢ−Ｂ線断面図である。
【図４】図１（Ｃ）のＣ−Ｃ線断面図である。
【図５】相手側コネクタのコンタクトが嵌合面に沿って挿入されたソケットコンタクトを示し、（Ａ）は図１（Ｃ）のＤ−Ｄ線断面に相当する断面図、（Ｂ）は図１（Ｃ）のＣ−Ｃ線断面に相当する断面図である。
【図６】相手側コネクタのコンタクトが斜めに挿入されたソケットコンタクトを示し、（Ａ）は図１（Ｃ）のＤ−Ｄ線断面に相当する断面図、（Ｂ）は図１（Ｃ）のＣ−Ｃ線断面に相当する断面図である。
【図７】実施の形態２に係るコネクタのソケットコンタクトを示す斜視図である。
【図８】実施の形態３に係るコネクタのソケットコンタクトを示し、（Ａ）は斜視図、（Ｂ）は正面図である。
【図９】実施の形態４に係るコネクタのソケットコンタクトを示し、（Ａ）は左前方から見た斜視図、（Ｂ）は右前方から見た斜視図、（Ｃ）は平面図、（Ｄ）は正面図、（Ｅ）は左側面図、（Ｆ）は右側面図である。
【図１０】実施の形態４に係るコネクタのソケットコンタクトに相手側コネクタのコンタクトを挿入する様子を示し、（Ａ）は斜視図、（Ｂ）は正面図である。
【図１１】従来のコネクタのソケットコンタクトを示す断面図である。
【発明を実施するための形態】
【００１４】
以下、この発明の実施の形態を添付図面に基づいて説明する。
実施の形態１
図１（Ａ）〜（Ｄ）に、実施の形態１に係るコネクタのソケットコンタクト１１の構成を示す。ソケットコンタクト１１は、嵌合面Ｃ１に沿って挿入される相手側コネクタの平板形状のコンタクトに電気的に接続されるもので、金属板をいわゆるボックス形に折り曲げ加工することで形成された本体部１２を有している。本体部１２は、互いに対向する正面部１２Ａおよび背面部１２Ｂと、これら正面部１２Ａおよび背面部１２Ｂの端部を連結する１対の側面部１２Ｃおよび１２Ｄからなり、本体部１２の内部に相手側コネクタのコンタクトを受け入れる空間としての受け入れ部Ｓが形成されている。
【００１５】
さらに、ソケットコンタクト１１は、本体部１２の正面部１２Ａおよび背面部１２Ｂの上端の両端部からそれぞれ受け入れ部Ｓ内に向けて折り返される２対の導通用バネ片１３を有すると共に、正面部１２Ａおよび背面部１２Ｂの上端の中央部からそれぞれ受け入れ部Ｓ内に向けて折り返される１対の変位規制部１４を有している。すなわち、正面部１２Ａには、１つの変位規制部１４と、変位規制部１４の両側にそれぞれ配置された２つの導通用バネ片１３が一体に連結され、同様に、背面部１２Ｂにも、１つの変位規制部１４と、変位規制部１４の両側にそれぞれ配置された２つの導通用バネ片１３が一体に連結されている。
【００１６】
正面部１２Ａ側の導通用バネ片１３と背面部１２Ｂ側の導通用バネ片１３は、受け入れ部Ｓ内において互いに対向し、それぞれの先端近傍に導通用接点１３Ａが形成されている。導通用接点１３Ａは、相手側コネクタのコンタクトに接触して電気導通するためのものである。
また、正面部１２Ａ側の変位規制部１４と背面部１２Ｂ側の変位規制部１４は、受け入れ部Ｓ内において互いに対向し、それぞれの先端近傍に変位規制用接点１４Ａが形成されている。変位規制用接点１４Ａは、相手側コネクタのコンタクトに接触することで相手側コネクタのコンタクトの所定量を超える変位を防止するためのものである。
正面部１２Ａおよび背面部１２Ｂのそれぞれにおいて、互いに隣接する導通用バネ片１３と変位規制部１４の間に切欠き１５が形成されており、この切欠き１５により導通用バネ片１３と変位規制部１４とが互いに切り離されている。
【００１７】
また、本体部１２の正面部１２Ａおよび背面部１２Ｂの下端には、嵌合面Ｃ１を挟むように嵌合面Ｃ１の両側に配置され且つ互いに反対方向に延びて、はんだ付けによりソケットコンタクト１１を図示しない基板に固定するための１対のはんだ付け部１６が連結されている。
ここで、便宜上、本体部１２の１対の側面部１２Ｃおよび１２Ｄが対向する方向をＸ方向、正面部１２Ａおよび背面部１２Ｂが対向する方向をＹ方向、本体部１２の下部から上部へ向かう方向をＺ方向と呼ぶこととする。
嵌合面Ｃ１はＸＺ面に沿って延び、図示しない相手側コネクタのコンタクトは、嵌合面Ｃ１に沿いながらソケットコンタクト１１に対して相対的に−Ｚ方向に挿入されて嵌合する。
【００１８】
図２に示されるように、本体部１２の受け入れ部Ｓ内において、変位規制部１４の変位規制用接点１４Ａと、変位規制部１４のＸ方向の両側に配置された導通用バネ片１３の導通用接点１３Ａは、互いにＸ方向に隣接すると共に、図示しない相手側コネクタのコンタクトの嵌合方向であるＺ方向におけるほぼ同一の位置に配置されている。
また、変位規制部１４と両側の導通用バネ片１３とがそれぞれ切欠き１５を介して切り離されているので、導通用バネ片１３は、変位規制部１４から独立して弾性変形するように構成されている。
【００１９】
図３に示されるように、正面部１２Ａ側の導通用バネ片１３と背面部１２Ｂ側の導通用バネ片１３は、それぞれ、本体部１２の上端で折り返され、双方の導通用バネ片１３の先端部１３Ｂが本体部１２の下端近傍に至るまで−Ｚ方向に延びている。双方の導通用バネ片１３の導通用接点１３Ａは、嵌合面Ｃ１を挟むように嵌合面Ｃ１の両側に配置され、互いに間隔Ｇ１を隔ててＹ方向に対向している。なお、この間隔Ｇ１は、図示しない相手側コネクタのコンタクトの厚さよりも小さい値に設定されているものとする。
【００２０】
また、正面部１２Ａ側の導通用バネ片１３の先端部１３Ｂは、導通用接点１３Ａよりも嵌合面Ｃ１から−Ｙ方向に離れた位置にあり、間隔Ｇ２を隔てて正面部１２Ａの内壁面１７に対向している。同様に、背面部１２Ｂ側の導通用バネ片１３の先端部１３Ｂは、導通用接点１３Ａよりも嵌合面Ｃ１から＋Ｙ方向に離れた位置にあり、間隔Ｇ２を隔てて背面部１２Ｂの内壁面１７に対向している。なお、この間隔Ｇ２は、相手側コネクタのコンタクトが２対の導通用接点１３Ａの間に挿入された場合でも、導通用バネ片１３の先端部１３Ｂがそれぞれ対向している正面部１２Ａまたは背面部１２Ｂの内壁面１７に接触することがないような値に、予め設定されている。
【００２１】
図４に示されるように、正面部１２Ａ側の変位規制部１４と背面部１２Ｂ側の変位規制部１４は、それぞれ、本体部１２の上端で折り返され、双方の変位規制部１４の先端部１４Ｂが本体部１２の下端近傍に至るまで−Ｚ方向に延びている。双方の変位規制部１４の変位規制用接点１４Ａは、嵌合面Ｃ１を挟むように嵌合面Ｃ１の両側に配置され、互いに間隔Ｇ３を隔ててＹ方向に対向している。なお、この間隔Ｇ３は、図３に示した２対の導通用接点１３Ａの間隔Ｇ１よりも大きく、相手側コネクタのコンタクトの厚さに等しい値、あるいは、相手側コネクタのコンタクトの厚さよりもわずかに大きな値を有している。
【００２２】
また、正面部１２Ａ側の変位規制部１４の先端部１４Ｂは、変位規制用接点１４Ａよりも嵌合面Ｃ１から−Ｙ方向に離れ、正面部１２Ａの内壁面１７にわずかな間隔を隔てて近接している。同様に、背面部１２Ｂ側の変位規制部１４の先端部１４Ｂは、変位規制用接点１４Ａよりも嵌合面Ｃ１から＋Ｙ方向に離れ、背面部１２Ｂの内壁面１７にわずかな間隔を隔てて近接している。
このため、相手側コネクタのコンタクトに接触することにより、変位規制用接点１４Ａが押されて、変位規制部１４が弾性変形しても、変位規制部１４の先端部１４Ｂがわずかに変位したところで対向する正面部１２Ａまたは背面部１２Ｂの内壁面１７に接触し、それ以上の変位規制部１４の弾性変形が生じないように構成されている。
【００２３】
このように、本体部１２、２対の導通用バネ片１３、１対の変位規制部１４および１対のはんだ付け部１６を有するソケットコンタクト１１は、１枚の金属板に、隣接する導通用バネ片１３と変位規制部１４とを切り離す切欠き１５を形成すると共に曲げ加工を施すことにより、作製することができる。
【００２４】
次に、実施の形態１におけるソケットコンタクト１１の動作について説明する。
ソケットコンタクト１１は、図５（Ａ）に示されるように、１対のはんだ付け部１６が基板１８の固定用パッド等にはんだ付けされることにより、基板１８に固定される。なお、基板１８には、ソケットコンタクト１１の受け入れ部Ｓの直下に、相手側コネクタのコンタクト１９の先端を挿入するための開口部１８Ａが形成されている。
相手側コネクタのコンタクト１９を、ソケットコンタクト１１に対し、嵌合面Ｃ１に沿って相対的に−Ｚ方向に移動させると、コンタクト１９は、受け入れ部Ｓ内に入った後、間隔Ｇ１を隔ててＹ方向に対向している２対の導通用接点１３Ａをそれぞれ押し広げながら−Ｚ方向に前進し、コンタクト１９の先端が基板１８の開口部１８Ａ内に挿入される所定の位置まで前進したところで、コネクタの嵌合が完了する。
【００２５】
図３に示したように、導通用バネ片１３の先端部１３Ｂと対向する正面部１２Ａまたは背面部１２Ｂの内壁面１７との間に、予め所定の間隔Ｇ２が形成されているので、相手側コネクタのコンタクト１９が２対の導通用接点１３Ａの間に挿入されても、導通用バネ片１３の先端部１３Ｂがそれぞれ対向している正面部１２Ａまたは背面部１２Ｂの内壁面１７に接触することはない。
【００２６】
また、図４に示したように、嵌合面Ｃ１を挟んで対向する変位規制用接点１４Ａの間に、相手側コネクタのコンタクト１９の厚さに等しい、あるいは、コンタクト１９の厚さよりもわずかに大きな間隔Ｇ３が形成されている。このため、図５（Ｂ）に示されるように、相手側コネクタのコンタクト１９が互いに対向する変位規制用接点１４Ａの間に挿入されても、コンタクト１９が嵌合面Ｃ１上にあって互いに対向する変位規制用接点１４Ａの中央部に位置する限り、変位規制用接点１４Ａは変位することがない。
【００２７】
ここで、相手側コネクタのコンタクト１９が嵌合面Ｃ１からＹ方向にずれた位置で挿入される、あるいは、嵌合面Ｃ１に対して斜めに挿入された場合について考察する。この場合も、図６（Ａ）に示されるように、コンタクト１９は、受け入れ部Ｓ内に入った後、間隔Ｇ１を隔ててＹ方向に対向している２対の導通用接点１３Ａを押し広げながら−Ｚ方向に前進するが、このとき、コンタクト１９は、図６（Ｂ）に示されるように、互いに対向する変位規制用接点１４Ａの間を通過することとなる。
【００２８】
上述したように、変位規制部１４の先端部１４Ｂは、予め、対向する正面部１２Ａまたは背面部１２Ｂの内壁面１７にわずかな間隔を隔てて近接しているので、相手側コネクタのコンタクト１９に接触することにより、変位規制用接点１４Ａが押されて変位規制部１４が弾性変形しても、変位規制部１４の先端部１４Ｂがわずかに変位したところで対向する正面部１２Ａまたは背面部１２Ｂの内壁面１７に接触し、それ以上の変位規制部１４の弾性変形が生じない。このため、コンタクト１９のＹ方向の位置が矯正され、互いに対向する変位規制用接点１４Ａの間においては、コンタクト１９が嵌合面Ｃ１上に位置することとなる。
【００２９】
ここで、図２に示したように、導通用バネ片１３の導通用接点１３Ａと変位規制部１４の変位規制用接点１４Ａは、Ｚ方向においてほぼ同一の位置に配置されている。従って、図６（Ａ）に示されるように、互いに対向する２対の導通用接点１３Ａの間においても、コンタクト１９は嵌合面Ｃ１上に位置し、その結果、互いに対向する導通用接点１３Ａに対するコンタクト１９の接触状態が均一となり、導通用接点１３Ａの過大変位に起因する導通用バネ片１３の塑性変形並びに導通用接点１３Ａがコンタクト１９から離れることによる接触不良を防止して、電気導通の信頼性を向上させることができる。
【００３０】
また、図５（Ａ）および（Ｂ）に示したように、相手側コネクタのコンタクト１９が嵌合面Ｃ１に沿ってソケットコンタクト１１に正常に挿入されることにより、コンタクト１９と２対の導通用接点１３Ａの間の電気導通状態が確立された後に、相手側コネクタのコンタクト１９あるいはソケットコンタクト１１に何らかの応力が加わって、ソケットコンタクト１１に対してコンタクト１９が変位した場合においても、変位規制用接点１４Ａがコンタクト１９により押されて変位規制部１４が弾性変形し、変位規制部１４の先端部１４Ｂがわずかに変位して対向する正面部１２Ａまたは背面部１２Ｂの内壁面１７に接触したところで、コンタクト１９のさらなる変位が防止されることとなる。このため、互いに対向する導通用接点１３Ａに対するコンタクト１９の接触状態が均一となり、確実な電気導通が実現される。
【００３１】
なお、変位規制部１４の先端部１４Ｂは、対向する正面部１２Ａまたは背面部１２Ｂの内壁面１７にわずかな間隔を隔てて近接する代わりに、予め、対向する正面部１２Ａまたは背面部１２Ｂの内壁面１７に接触していてもよい。
このようにしても、変位規制用接点１４Ａが相手側コネクタのコンタクト１９に接触することで、コンタクト１９を、２対の導通用接点１３Ａの間において嵌合面Ｃ１上に位置させることができ、互いに対向する導通用接点１３Ａに対するコンタクト１９の接触状態を均一にして、確実な電気導通を行うことが可能となる。
変位規制部１４は、バネ性を有する必要がなく、本体部１２の受け入れ部Ｓ内に変位規制用接点１４Ａを固定状態で配置してもよいが、実施の形態1のソケットコンタクト１１では、１枚の金属板に、隣接する導通用バネ片１３と変位規制部１４とを切り離す切欠き１５を形成すると共に曲げ加工を施すことにより作製しているので、変位規制部１４もバネ片となっており、このため、変位規制部１４の先端部１４Ｂがわずかに変位したところで対向する正面部１２Ａまたは背面部１２Ｂの内壁面１７に接触し、それ以上の弾性変形が生じないように規制している。
【００３２】
なお、変位規制部１４の先端部１４Ｂが本体部１２の下端近傍に至るまで−Ｚ方向に延びており、はんだ付け部１６に近接しているので、はんだ付け部１６を基板１８にはんだ付けする際に、はんだが変位規制部１４の先端部１４Ｂに流れてくるおそれがある。ただし、変位規制部１４の先端部１４Ｂは、対向する正面部１２Ａまたは背面部１２Ｂの内壁面１７に固定されても、相手側コネクタのコンタクト１９の所定量を超える変位を規制して信頼性の優れた電気導通を実現することができるので、何ら問題はない。
導通用バネ片１３の先端部１３Ｂも、本体部１２の下端近傍に至るまで−Ｚ方向に延びているが、導通用バネ片１３の先端部１３Ｂは、所定の間隔Ｇ２を隔てて正面部１２Ａまたは背面部１２Ｂの内壁面１７に対向しているため、たとえ、はんだが流れてきても、対向する正面部１２Ａまたは背面部１２Ｂの内壁面１７に固定されることはない。
【００３３】
また、導通用接点１３Ａおよび変位規制用接点１４Ａは、本体部１２の下端近傍に配置されており、嵌合方向であるＺ方向において、はんだ付け部１６に近接した位置にある。このため、相手側コネクタのコンタクト１９の挿入およびコンタクト１９の位置ずれ等に起因して導通用バネ片１３および変位規制部１４に作用する力がはんだ付け部１６に及ぼすモーメントは小さく、はんだ付け部１６における基板１８との接続の信頼性が向上する。
【００３４】
実施の形態２
実施の形態１におけるソケットコンタクト１１は、本体部１２の正面部１２Ａおよび背面部１２Ｂのそれぞれにおいて、１つの変位規制部１４の両側に２つの導通用バネ片１３が配置されていたが、これに限るものではない。
図７に示される実施の形態２に係るコネクタのソケットコンタクト２１では、本体部２２の正面部２２Ａおよび背面部２２Ｂのそれぞれにおいて、１つの導通用バネ片２３の両側に２つの変位規制部２４が配置されている。すなわち、ソケットコンタクト２１は、１対の導通用バネ片２３と２対の変位規制部２４を有している。導通用バネ片２３および変位規制部２４の構成は、それぞれ、実施の形態１で用いられた導通用バネ片１３および変位規制部１４と同一である。
【００３５】
このような構成としても、実施の形態１におけるソケットコンタクト１１と同様にして、相手側コネクタのコンタクト１９が嵌合面Ｃ１からＹ方向にずれた位置で挿入される、あるいは、嵌合面Ｃ１に対して斜めに挿入された場合であっても、信頼性の優れた電気導通を実現することができる。
また、本体部２２の正面部２２Ａおよび背面部２２Ｂのそれぞれにおいて、複数の導通用バネ片２３と複数の変位規制部２４が配列されるように構成することもできる。
【００３６】
実施の形態３
実施の形態１におけるソケットコンタクト１１では、嵌合面Ｃ１を挟むように本体部１２の正面部１２Ａおよび背面部１２Ｂの下端にそれぞれはんだ付け部１６が連結されていたが、図８（Ａ）および（Ｂ）に示される実施の形態３のコネクタのソケットコンタクト３１のように、本体部１２の１対の側面部１２Ｃおよび１２Ｄの下端にそれぞれはんだ付け部３６を連結し、これら１対のはんだ付け部３６を嵌合面Ｃ１に沿った方向に互いに対向させることもできる。
このような構成にすると、側面部１２Ｃおよび１２Ｄに沿ってＹ方向に延びるはんだ付け部３６が形成されるので、相手側コネクタのコンタクト１９の挿入およびコンタクト１９の位置ずれ等に起因して導通用バネ片１３および変位規制部１４に作用するＹ方向の力をＹ方向に延びるはんだ付け部３６で受けることとなり、はんだ付け部３６における基板１８との接続の信頼性を向上させることができる。
【００３７】
実施の形態４
図９（Ａ）〜（Ｆ）に、実施の形態４に係るコネクタのソケットコンタクト４１の構成を示す。ソケットコンタクト４１は、実施の形態１におけるソケットコンタクト１１と同様に、互いに対向する正面部４２Ａおよび背面部４２Ｂと１対の側面部４２Ｃおよび４２Ｄからなり、内部に受け入れ部Ｓを形成する本体部４２を有している。
本体部４２の正面部４２Ａおよび背面部４２Ｂには、それぞれ、１つの導通用バネ片４３と１つの変位規制部４４が隣接して配置され、受け入れ部Ｓ内において、導通用バネ片４３の先端近傍に導通用接点４３Ａが形成され、変位規制部４４の先端近傍に変位規制用接点４４Ａが形成されている。
導通用バネ片４３および変位規制部４４の構成は、それぞれ、実施の形態１で用いられた導通用バネ片１３および変位規制部１４と同一であり、導通用接点４３Ａと変位規制用接点４４Ａは、互いにＸ方向に隣接すると共に、Ｚ方向におけるほぼ同一の位置に配置されている。
【００３８】
正面部４２Ａおよび背面部４２Ｂのそれぞれにおいて、互いに隣接する導通用バネ片４３と変位規制部４４の間にＺ方向に延びる切欠き４５が形成されており、この切欠き４５により導通用バネ片４３と変位規制部４４とが互いに切り離されている。また、導通用バネ片４３と側面部４２Ｃとの間にもＺ方向に延びる切欠き４５が形成され、この切欠き４５により導通用バネ片４３と側面部４２Ｃとが互いに切り離されている。これらの切欠き４５により、導通用バネ片４３は、変位規制部４４から独立して弾性変形するように構成されている。
【００３９】
１対の側面部４２Ｃおよび４２Ｄのうち、一方の側面部４２Ｄは、受け入れ部Ｓの＋Ｘ方向端部を閉じるように正面部４２Ａと背面部４２Ｂとを連結しているが、他方の側面部４２Ｃには、嵌合面Ｃ１に沿って側面部４２Ｃの＋Ｚ方向端部から−Ｚ方向端部まで延びるスリット４８が形成されており、このスリット４８により、側面部４２Ｃは正面部４２Ａ側部分と背面部４２Ｂ側部分とに分割され、受け入れ部Ｓの−Ｘ方向端部はスリット４８を通して開放されている。
【００４０】
側面部４２Ｃの正面部４２Ａ側部分および背面部４２Ｂ側部分には、導通用接点４３Ａおよび変位規制用接点４４Ａと同一のＺ方向位置にスリット４８に面して互いに対向する変位規制用接点４８Ａが形成されている。これらの変位規制用接点４８Ａの間隔は、変位規制用接点４４Ａにおける間隔とほぼ等しく、コンタクト１９の厚さに等しい値、あるいは、コンタクト１９の厚さよりもわずかに大きな値に設定されている。スリット４８の開口幅は、変位規制用接点４８Ａにおいて最も小さく、その他の箇所においては、変位規制用接点４８Ａの間隔よりも大きな開口幅を有している。
また、本体部４２の正面部４２Ａおよび背面部４２Ｂの下端に、それぞれ、はんだ付け部４６が連結されている。
【００４１】
コネクタの嵌合時には、図１０（Ａ）に示されるように、相手側コネクタのコンタクト１９が、ソケットコンタクト４１に対し、嵌合面Ｃ１に沿って相対的に−Ｚ方向に移動されるが、図１０（Ｂ）に示されるように、コンタクト１９の−Ｘ方向端部Ｅはソケットコンタクト４１の側面部４２Ｃよりも外側に位置しており、コンタクト１９は、受け入れ部Ｓ内に挿入されると同時に側面部４２Ｃのスリット４８内に挿入される。
そして、コンタクト１９は、受け入れ部Ｓ内の１対の導通用接点４３Ａを押し広げながら−Ｚ方向に前進してコネクタの嵌合を完了することとなる。
【００４２】
相手側コネクタのコンタクト１９が嵌合面Ｃ１からＹ方向にずれた位置で挿入される、あるいは、嵌合面Ｃ１に対して斜めに挿入された場合には、実施の形態１におけるソケットコンタクト１１と同様にして、変位規制部４４の変位規制用接点４４Ａおよびスリット４８内の変位規制用接点４８Ａによりコンタクト１９のＹ方向の位置が矯正され、１対の導通用接点４３Ａに対するコンタクト１９の接触状態が均一となり、導通用接点４３Ａの過大変位に起因する導通用バネ片４３の塑性変形並びに導通用接点４３Ａがコンタクト１９から離れることによる接触不良を防止して、電気導通の信頼性を向上させることができる。
【００４３】
この実施の形態４におけるソケットコンタクト４１では、相手側コネクタのコンタクト１９の−Ｘ方向端部Ｅが側面部４２Ｃよりも外側にはみ出た状態で嵌合が行われるので、実施の形態１におけるソケットコンタクト１１に比べて、ソケットコンタクト４１のＸ方向の長さ、すなわち、コンタクト１９の幅方向の長さを縮小することができ、小型化を達成することが可能となる。
【００４４】
実施の形態１〜４に係るコネクタは、それぞれ、１つのソケットコンタクト１１，２１，３１および４１を備えた単接点構成としてもよいが、複数のソケットコンタクト１１，２１，３１および４１を配列し、相手側コネクタの複数のコンタクト１９に対してそれぞれ電気導通する複数接点構成のコネクタとすることもできる。
【符号の説明】
【００４５】
１  コンタクト本体、２  ビーム、３  バネ片、４  バネ接点、５  変位規制部、６  内壁、１１，２１，３１，４１  ソケットコンタクト、１２，２２，４２  本体部、１２Ａ，２２Ａ，４２Ａ  正面部、１２Ｂ，２２Ｂ，４２Ｂ  背面部、１２Ｃ，１２Ｄ，４２Ｃ，４２Ｄ  側面部、１３，２３，４３  導通用バネ片、１３Ａ，４３Ａ  導通用接点、１３Ｂ  導通用バネ片の先端部、１４，２４，４４  変位規制部、１４Ａ，４４Ａ，４８Ａ  変位規制用接点，１４Ｂ  変位規制部の先端部、１５，４５  切欠き、１６，３６，４６  はんだ付け部、１７  内壁面、１８  基板、１８Ａ  開口部、１９  相手側コネクタのコンタクト、４８  スリット、Ｃ１  嵌合面、Ｓ  受け入れ部、Ｇ１，Ｇ２，Ｇ３  間隔。
【図１】
0006437276.tif 000002
【図２】
0006437276.tif 000003
【図３】
0006437276.tif 000004
【図４】
0006437276.tif 000005
【図５】
0006437276.tif 000006
【図６】
0006437276.tif 000007
【図７】
0006437276.tif 000008
【図８】
0006437276.tif 000009
【図９】
0006437276.tif 000010
【図１０】
0006437276.tif 000011
【図１１】
0006437276.tif 000012